(57)【要約】【課題】  柔らかい草類や小径木などを同時に切断することができると共に、草類などを根本から切断するのに適した刈払機、並びにこの刈払機に用いる線状刃回転ユニット及び板状回転刃の提供。【解決手段】  刈払機１は、駆動軸６を先端部に有する操作桿２、該先端部の下方にて駆動軸６に接続される線状刃回転ユニット５、及び操作桿２と線状刃回転ユニット５との間に介在され、周部に刃４ａを有する板状回転刃４を備え、線状刃回転ユニット５の上面には、板状回転刃４に係合することによって、線状刃回転ユニット５に対する板状回転刃４の位置を規制する規制部２２が設けられている。【選択図】  図１
2007274937.tif 000002
【特許請求の範囲】
【請求項１】
回転出力部を有する本体、
該本体の下方にて前記回転出力部に接続され、外方へ延設された可撓線状刃によって回転中に対象物を切断する線状刃回転ユニット、及び
該線状刃回転ユニットの上方において前記本体と前記線状刃回転ユニットとの間に介在され、周部に設けられた刃によって回転中に対象物を切断する板状回転刃を備えることを特徴とする刈払機。
【請求項２】
前記線状刃回転ユニットの上面には、前記板状回転刃に係合することによって、前記線状刃回転ユニットに対する前記板状回転刃の位置を規制する規制部が設けられていることを特徴とする請求項１に記載の刈払機。
【請求項３】
前記規制部は前記線状刃回転ユニットの上面から突設されており、前記板状回転刃は前記規制部が嵌挿する被規制孔を有することを特徴とする請求項２に記載の刈払機。
【請求項４】
前記規制部は、前記線状刃回転ユニットの上面における外周部近傍に設けられていることを特徴とする請求項２又は３に記載の刈払機。
【請求項５】
前記規制部は、前記線状刃回転ユニットの回転軸芯を挟んで対向配置されていることを特徴とする請求項２乃至４の何れかに記載の刈払機。
【請求項６】
前記線状刃回転ユニットは、前記本体が有する前記回転出力部に当接する金属製の当接部を有し、前記規制部は前記当接部と一体成形されていることを特徴とする請求項２乃至５の何れかに記載の刈払機。
【請求項７】
前記本体の回転出力部は下方へ延設されて軸芯回りに回転する駆動ボルトを具備し、前記線状刃回転ユニットの当接部と前記板状回転刃とは、前記駆動ボルトが通される挿通孔を具備しており、前記線状刃回転ユニット及び前記板状回転刃は、夫々の前記挿通孔に通された状態で前記駆動ボルトにナットが螺着されることにより、前記本体に接続されていることを特徴とする請求項２乃至６の何れかに記載の刈払機。
【請求項８】
板状回転刃を間に介在させて刈払機本体に下方から接続され、外方へ延設された可撓線状刃によって回転中に対象物を切断する線状刃回転ユニットであって、
前記板状回転刃に係合することによって、前記線状刃回転ユニットに対する前記板状回転刃の位置を規制する規制部を上面に備えることを特徴とする刈払機の線状刃回転ユニット。
【請求項９】
刈払機本体と、該刈払機本体の下方に位置し、外方へ延設された可撓線状刃により回転中に対象物を切断する線状刃回転ユニットとの間に介在され、周部に設けられた刃によって回転中に対象物を切断する板状回転刃であって、
前記線状刃回転ユニットの上面から突設された規制部が嵌挿する被規制孔を備えることを特徴とする刈払機の板状回転刃。
【発明の詳細な説明】
【技術分野】
【０００１】
本発明は、作業者が携行して草類の刈払いを行うための刈払機、該刈払機に用いる線状刃回転ユニット及び板状回転刃に関し、より詳しくは、外方へ延設された可撓線状刃を有する線状刃回転ユニットと、周部に刃が設けられて一般に金属製の円盤状刃とを併用して草類を切断することのできる刈払機等に関する。
【背景技術】
【０００２】
従来、草類の刈払いに使用する刈払機として、チップソー、丸鋸刃、切り込み刃などの一般に金属製の板状回転刃を、操作桿などの刈払機本体に取り付けたものが広く利用されている。このような板状回転刃を備えたものの場合、本体に設けられたエンジン又はモータによって板状回転刃を高速回転させ、この板状回転刃を草類にあてがって切断するよう使用される。
【０００３】
また、他の刈払機として、ナイロンコードなどの可撓線状刃を外方へ突出させた線状刃回転ユニットを刈払機本体に取り付けたものも広く利用されている。この線状刃回転ユニットを備えた刈払機の場合、エンジン又はモータにより線状刃回転ユニットを高速回転させると、そのとき発生する遠心力によって可撓線状刃が回転軸芯から放射状に突出した状態となって旋回する。そして、旋回する可撓線状刃の突出部分によって草類を切断するようになっている。
【０００４】
上述した刈払機のうち板状回転刃を備えるものは、草類以外にも小径木を切断することも可能であるが、草類や小径木を根本近くで切断しようとすると、刃先が地面に接触してしまい、砂を周囲にまき散らしたり板状回転刃の寿命を縮めてしまったりするため、必ずしも草類や小径木を根本近くで切断するのに適したものではなかった。
【０００５】
一方、線状刃回転ユニットを備える刈払機の場合、地面に可撓線状刃が接触しても砂をまき散らすことが少なく、その寿命に与える影響も少ないという利点があるが、小径木や比較的硬めの草などは切断できない。上述したことから、目的に応じて板状回転刃を備える刈払機と、線状刃回転ユニットを備える刈払機とを使い分ける必要があった。
【０００６】
更に、上述したものの他にも図１３に示すような特殊な構成の回転体を備える刈払機が提供されている（特許文献１参照）。この回転体１０１は、対向配置された上下の円盤１０２，１０２の間に中心を一致させて筒部１０３を挟持させたような構成になっており、上下の円盤１０２，１０２の間にはまた、周方向に沿って等間隔に３つのピン１０４が架設されている。この回転体１０１の筒部１０３には二つ折りにされたナイロンコード１０５が巻回され、その両端がピン１０４の間を通って外方へ延ばされている。また、各ピン１０４には個別にノコギリ状の切断刃１０６が枢支されている。そして、この刈払機の場合、回転体Ａ１を回転させることによってナイロンコード１０５と切断刃１０６とが共に旋回するため、柔らかい草や小径木などを一時に切断することができる。
【特許文献１】特開平１１−２３５１１３号公報
【発明の開示】
【発明が解決しようとする課題】
【０００７】
しかしながら、特許文献１に開示された刈払機では、ナイロンコード１０５及び切断刃１０６が共に上下の円盤１０２，１０２間にあって近接しており、ナイロンコード１０５によって草類を根本から切断しようとする場合に、切断刃１０６と地面との接触を回避するのが困難な構成となっている。しかも、除草作業中に、上下の円盤１０２，１０２間で切断刃１０６がナイロンコード１０５よりも下方に位置してしまう可能性があり、この場合は切断刃１０６と地面との接触を回避するのは益々困難になってしまう。
【０００８】
そこで本発明は、線状刃回転ユニット及び板状回転刃を備えて、柔らかい草類や小径木などを同時に切断することができると共に、草類などを根本から切断する際に地面の砂を周囲にまき散らすことが少ない刈払機、並びにこの刈払機に用いる線状刃回転ユニット及び板状回転刃を提供することを目的とする。更に、このような刈払機において、線状刃回転ユニットと板状回転刃との位置ずれを防止し得る構成を提供することを目的とする。
【課題を解決するための手段】
【０００９】
本発明は上述したような事情に鑑みてなされたものであり、本発明に係る刈払機は、回転出力部を有する本体、該本体の下方にて前記回転出力部に接続され、外方へ延設された可撓線状刃によって回転中に対象物を切断する線状刃回転ユニット、及び該線状刃回転ユニットの上方において前記本体と前記線状刃回転ユニットとの間に介在され、周部に設けられた刃によって回転中に対象物を切断する板状回転刃を備えている。
【００１０】
このような構成により、回転出力部によって回転される線状刃回転ユニット及び板状回転刃により、柔らかい草や小径木などを同時に切断することができる。しかも、線状刃回転ユニットの上方に板状回転刃が位置し、通常の使用時において板状回転刃が線状刃回転ユニットより下方に位置することがあり得ないため、草類を根本から切断する際に板状回転刃が地面に接触しにくく、砂がまき散らされるのを抑制することができる。
【００１１】
また、前記線状刃回転ユニットの上面には、前記板状回転刃に係合することによって、前記線状刃回転ユニットに対する前記板状回転刃の位置を規制する規制部が設けられていてもよい。
【００１２】
このような構成により、規制部によって線状刃回転ユニット及び板状回転刃間に回転方向の位置ずれが生じにくくなり、両者は一体的に高速回転することとなるため、効率よく刈払い作業を行うことができる。
【００１３】
また、前記規制部は前記線状刃回転ユニットの上面から突設されており、前記板状回転刃は前記規制部が嵌挿する被規制孔を有していてもよい。このような構成により、簡単な構成によって規制部を実現することができる。
【００１４】
また、前記規制部は、前記線状刃回転ユニットの上面における外周部近傍に設けられていてもよい。このように、外周部近傍、即ち線状回転体の回転軸芯から比較的離隔した位置に規制部を設けているので、線状刃回転ユニットの回転力を大きなモーメントで板状回転刃に作用させることができる。同時に、線状刃回転ユニットと板状回転刃との回転方向の位置ずれを確実に防止することができる。
【００１５】
また、前記規制部は、前記線状刃回転ユニットの回転軸芯を挟んで対向配置されていてもよい。このような構成とすることにより、線状刃回転ユニットの回転モーメントを位置的な偏りのないように板状回転刃へ作用させることができると同時に、線状刃回転ユニットと板状回転刃との位置ずれを確実に防止することができる。
【００１６】
また、前記線状刃回転ユニットは、前記本体が有する前記回転出力部に当接する金属製の当接部を有し、前記規制部は前記当接部と一体成形されていてもよい。このような構成とすることにより規制部の強度が向上し、板状回転刃への回転モーメントの伝達と該板状回転刃の位置ずれの防止とを確実に実現することができる。
【００１７】
また、前記本体の回転出力部は下方に延設されて軸芯回りに回転する駆動ボルトを具備し、前記線状刃回転ユニットの当接部と前記板状回転刃とは、前記駆動ボルトが通される挿通孔を具備しており、前記線状刃回転ユニット及び前記板状回転刃は、夫々の前記挿通孔に通された状態で前記駆動ボルトにナットが螺着されることにより、前記本体に接続されていてもよい。このような構成とすることにより、ナットの着脱によって線状刃回転ユニット及び板状回転刃を容易に着脱することができる。
【００１８】
また本発明に係る線状刃回転ユニットは、板状回転刃を間に介在させて刈払機本体に下方から接続され、外方へ延設された可撓線状刃によって回転中に対象物を切断するものであって、前記板状回転刃に係合することによって、前記線状刃回転ユニットに対する前記板状回転刃の位置を規制する規制部を上面に備えている。
【００１９】
また本発明に係る板状回転刃は、刈払機本体と、該刈払機本体の下方に位置し、外方へ延設された可撓線状刃により回転中に対象物を切断する線状刃回転ユニットとの間に介在され、周部に設けられた刃によって回転中に対象物を切断するものであって、前記線状刃回転ユニットの上面から突設された規制部が嵌挿する被規制孔を備えている。
【発明の効果】
【００２０】
本発明によれば、柔らかい草類や小径木などを同時に切断することができると共に、草類などを根本から切断する際に地面の砂を周囲にまき散らすことが少ない刈払機、並びにこの刈払機に用いる線状刃回転ユニット及び板状回転刃を実現することができる。更に、このような刈払機において、線状刃回転ユニットと板状回転刃との位置ずれを防止し得る構成を実現することをができる。
【発明を実施するための最良の形態】
【００２１】
以下、本発明の実施の形態に係る刈払機、並びにこの刈払機に用いる線状刃回転ユニット及び板状回転刃を図面を参照しつつ説明する。
【００２２】
図１は、本実施の形態に係る可搬型の刈払機１の組み立て図であり、刃周りを中心に一部を断面で示している。図１に示すように刈払機１は、オペレータが後部を把持する操作桿（刈払機本体）２の先端部に、チップソーなどの板状回転刃４と、所謂ナイロンコードカッターなどの線状刃回転ユニット５とがこの順に組み付けられるようになっている。なお、以下の説明において用いる方向（特に上下方向）の概念は、地面上の草類を切除する作業中の刈払機１の姿勢を基準と一致するものとして用いることとし、これと異なる場合は適宜説明を付けるものとする。
【００２３】
操作桿２の後部には図示しないエンジン又はモータなどの動力源が備えられており、この動力源が発生する動力は、操作桿２内の伝達シャフトや先端部内のギヤ（図示せず）を介して、先端部から下方へ延びる駆動軸（回転出力部）６へ伝えられる。その結果、動力源が駆動すると駆動軸６は軸芯７周りに回転する。この駆動軸６に、板状回転刃４を間に介在させて線状刃回転ユニット５が取り付けられている。
【００２４】
図２は、図１に示した線状刃回転ユニット５を拡大して詳細構成を示す図面であり、その回転軸芯を含む平面で切断したときの断面を示している。また、図３は、図２に示す線状刃回転ユニット５の分解斜視図である。図２及び図３に示すように線状刃回転ユニット５は、ナイロンコードなど可撓線状刃であるコード刃１０を巻き付けるボビン１１と、該ボビン１１を所定角度だけ回動させるクラッチ１２と、これらボビン１１及びクラッチ１２を収容するケース１３とを備えている。
【００２５】
ケース１３は合成樹脂製の上ケース１４及び下ケース１５で構成され、上ケース１４は、下部が開口した外筒１６と上下共に開口した内筒１７とから成る二重筒形状となっている。内筒１７の外周面には、上下方向へ延びるスライド溝１７ａが形成されている。クラッチ１２は上部が開口した筒状を成し、その内周面には、上記上ケース１４の内筒１７が有するスライド溝１７ａと係合すべく上下方向へ延びる突条部１２ａ（図２参照）が形成されている。そして、上記スライド溝１７ａ及び突条部１２ａが係合するようにして、上ケース１４の内筒１７に対しクラッチ１２が下方から外嵌して組み付けられる。この状態でクラッチ１２と上ケース１４とは、軸芯周りの相対的な位置ずれが生じないようになっている。
【００２６】
また、クラッチ１２を上ケース１４の内筒１７に外嵌させるに際し、内筒１７の内部にコイルスプリング１８が配設される。内筒１７の上側の開口部には、操作桿２の先端から延びる駆動軸６（図１参照）を通すべく、軸通孔１９ａを有する金属製の取付座（当接部）１９が設けられている。そして上記コイルスプリング１８は、クラッチ１２が内筒１７に外嵌した状態で、クラッチ１２の内底面と取付座１９の下面とに挟まれて設けられ、クラッチ１２を下方へ付勢している。
【００２７】
ボビン１１は円筒のリール形状を成し、その外周部にはコード刃１０が巻回されている。ボビン１１の内周面には、クラッチ１２の外周面に突設された係止爪１２ｂと係合する被係止爪１１ａが突設されている。これら係止爪１２ｂ及び被係止爪１１ａは、後述するようにクラッチ１２（又はケース１３）に対するボビン１１の軸芯周りの回転変位を規制するクラッチ機構を構成するものである。このようなボビン１１は、上ケース１４に組み付けられた状態のクラッチ１２に下方から外嵌して組み付けられ、クラッチ１２と上ケース１４の外筒１６との間に形成される環状のスペース１４ａ（図３参照）にボビン１１は配設される。
【００２８】
ボビン１１がスペース１４ａに配設されるに際し、ボビン１１に巻回されたコード刃１０は、上ケース１４の外筒１６に形成された２つのコード通孔２０に通され、外方へ所定寸法だけ延出される。そしてこの状態で上ケース１４の下部開口に下方から下ケース１５が被せられて、ボビン１１はケース１３内に収容される。下ケース１５は平面視で略円盤状を成し、その中央部分には開口１５ａが形成されており、上述したように下ケース１５が上ケース１４に接続されると、クラッチ１２の下部が下ケース１５の開口１５ａを通って下方へ突出する（図２参照）。
【００２９】
本実施の形態に係る線状刃回転ユニット５は、半自動的にコード刃１０の長さ調整を行うことのできる半自動式ナイロンコードカッターであり、操作桿２の先端に取り付けた状態で地面に軽く叩き付けると、下ケース１５から突出するクラッチ１２が、コイルスプリング１８の付勢力に抗って、ケース１３に対して相対的に上方へ移動する。すると、クラッチ１２の外周面に突設された係止爪１２ｂとボビン１１の内周面に突設された被係止爪１１ａとが係合し、ボビン１１が所定方向へ所定の角度だけ回転して固定されるようになっている。なお、このようなクラッチ機構については、本出願人による特願２００５―１５５８３６に詳述されているので、ここでの詳説は省く。
【００３０】
図４は、線状刃回転ユニット５の平面図である。図２及び図４に示すように、上記線状刃回転ユニット５の上ケース１４に設けられた取付座１９の上面には、平面視で円形の凹部１９ｂが形成され、この凹部１９ｂの中央に、既に述べた軸通孔１９ａが形成されている。この凹部１９ｂは、組み立て時に操作桿２の先端の駆動軸６に外嵌される円環状の刃受金具２１が嵌合されるようになっている。
【００３１】
また、取付座１９の上面からは、板状回転刃４に設けられた後述する被規制孔２６へ嵌挿する規制部２２が突設されている。この規制部２２は平面視で円形状を成す金属製であり、同じく金属製の取付座１９と一体的に形成されている。また規制部２２は、所定の２つが取付座１９の軸通孔１９ａを挟んで対向するように二組設けられており、軸通孔１９ａを中心とする同一円周上に９０度間隔で４つ設けられている。しかも、これらの規制部２２は、線状刃回転ユニット５を平面視したときに、上ケース１４の上面における外周部近傍に設けられている。
【００３２】
一方、図５の平面図に示すように、板状回転刃４は円盤形状を成し、その外周縁部に複数の刃４ａが列設されている。また、中央部には、操作桿２の駆動軸６及び刃受金具２１が挿通される平面視で円形の開口２５が形成されており、この開口２５は取付座１９の上面に形成された凹部１９ｂの平面形状と整合している。更に、板状回転刃４には、線状刃回転ユニット５のケース１３上面に設けられた規制部２２に嵌挿される被規制孔２６が複数形成されている。この被規制孔２６は、平面視で規制部２２と略同一径の円形状を成し、板状回転刃４が線状刃回転ユニット５の上側に配設されたときに、線状刃回転ユニット５の規制部２２に対応する位置に設けられている。より詳しく説明すると、この被規制孔２６は、所定の２つが開口２５を挟んで対向するように二組設けており、開口２５を中心とする同一円周上に９０度間隔で４つ設けている。
【００３３】
図６は、上述したような構成の操作桿２、板状回転刃４、及び線状刃回転ユニット５の接続手順を説明するための組み立て図であり、線状刃回転ユニット５は断面により示してある。図７は、操作桿２、板状回転刃４、及び線状刃回転ユニット５の接続形態を示す側面図である。また図８は、板状回転刃４と線状刃回転ユニット５との接続形態を示す平面図であり、操作桿２は省略し、板状回転刃４を二点差線により示している。以下、操作桿２、板状回転刃４、及び線状刃回転ユニット５の接続手順及び接続形態について説明する。
【００３４】
図６乃至図８に示すように板状回転刃４は、板状回転刃４の被規制孔２６に線状刃回転ユニット５を構成する上ケース１４の規制部２２が嵌挿するようにして、線状刃回転ユニット５の上面に載置される。このとき、板状回転刃４の中央に形成された開口２５の軸芯と、線状刃回転ユニット５の取付座１９の上面に形成された平面視円形の凹部１９ｂの軸芯とが一致するようになっている。
【００３５】
操作桿２の先端に設けられた駆動軸６には、円環状の刃受金具２１が外嵌される。そして、この刃受金具２１が板状回転刃４の開口２５へ通され、更に上ケース１４の取付座１９の凹部１９ｂに内嵌される。これにより、駆動軸６は取付座１９の中央に設けられた軸通孔１９ａに上方から挿通される。駆動軸６の下部にはネジ山が刻設されており、取付座１９の下面から上ケース１４の内筒１７内に突出した駆動軸６の下部にナット２８が螺合される。以後、図３を用いて既に述べたようにして、上ケース１４に対してクラッチ１２、ボビン１１、及び下ケース１５が順次組み付けられ、線状刃回転ユニット５が板状回転刃４を間に介在させた状態で操作桿２に接続される。即ち、線状刃回転ユニット５に対して板状回転刃４が上方に位置するようにして刈払機１が組み立てられる。
【００３６】
このような構成の刈払機１は、線状刃回転ユニット５を板状回転刃４より下方にして使用される。そして図示しないエンジン又はモータを駆動すると、操作桿２の先端部の駆動軸６が回転し、これに伴って板状回転刃４及び線状刃回転ユニット５が回転する。使用中、板状回転刃４は、比較的硬い草類や小径木などを切断することができ、これと同時に線状刃回転ユニット５から放射状に延びるコード刃１０は、比較的柔らかい草類等をその根本から切断することができる。そして、板状回転刃４は地面に接触しにくく、砂を周囲にまき散らすことを抑制することができる。
【００３７】
また、板状回転刃４と線状刃回転ユニット５とが操作桿２に接続された状態で、板状回転刃４と線状刃回転ユニット５とは、上述したように板状回転刃４の被規制孔２６に線状刃回転ユニット５の規制部２２が通されている。従って、刈払機１の使用時に、板状回転刃４と線状刃回転ユニット５との間で回転方向に位置ずれが生じることがない。
【００３８】
また、図４に示すように規制部２２は、線状刃回転ユニット５の上面において、回転軸芯から比較的離隔した位置である外周部近傍に突設されている。従って、線状刃回転ユニット５の回転力を大きなモーメントで板状回転刃４に作用させることができ、比較的硬い草類や小径木を容易に切断することができる。またこれと同時に、線状刃回転ユニット５と板状回転刃４との回転方向の位置ずれを確実に防止することができる。
【００３９】
また、線状刃回転ユニット５の回転軸芯を挟んで対向配置されているため、線状刃回転ユニット５の回転モーメントを位置的な偏りのないようにして板状回転刃４へ作用させることができると同時に、線状刃回転ユニット５と板状回転刃４との位置ずれをより一層確実に防止することができる。
【００４０】
更に、規制部２２を取付座１９と一体に形成して金属製としているため、規制部２２として充分な強度が確保されている。従って、板状回転刃４への回転モーメントの伝達と板状回転刃４の位置ずれの防止とを確実に実現することができる。なお、適切な強度を確保できるのであれば、取付座１９と一体にして金属製とする必要はなく、図９に示すように、上ケース１４の樹脂製の外筒１６と一体的に形成してもよい。また、その数に関しても４つ以外に、１〜３つでもよいし、５つ以上であってもよく、配置形態に関しても各規制部２２が必ずしも同一円周上になくてもよい。また、本実施の形態では線状刃回転ユニット５に突出する規制部２２を設けて板状回転刃４に規制部２２が嵌挿される被規制孔２６を設けたが、これとは逆に、板状回転刃４に突出部を設け、線状刃回転ユニット５の上面に前記突出部が嵌挿される孔又は凹部を形成するようにしてもよい。
【００４１】
ところで、上述した説明では線状刃回転ユニット５として半自動式ナイロンコードカッターを例示したが、他のタイプの線状刃回転ユニットを採用してもよい。図１０は、刈払機１に採用することができる遠心力式の線状刃回転ユニット５１の構成を示す図面であり、（ａ）はその平面図、（ｂ）はその側面図である。また、図１１は、刈払機１に採用することができる簡易式の線状刃回転ユニット５２の構成を示す図面であり、（ａ）はその平面図、（ｂ）はその側面図である。
【００４２】
図１０に示す遠心力式の線状刃回転ユニット５１は、対向配置された上下の円盤６１，６２の間に中心を一致させて筒部６０を挟持させたような構成になっており、上下の円盤６１，６２の間にはまた、周方向に沿って等間隔に３つのピン６３が架設されている。この線状刃回転ユニット５１の筒部６０には二つ折りにされたコード刃６４が巻回され、その両端がピン６３の間を通って外方へ延ばされている。そして、上側の円盤６１の上面に、上述した線状刃回転ユニット５と同様に規制部６５が突設されている。
【００４３】
また、図１１に示す簡易式の線状刃回転ユニット５２は、対向配置された上下の円盤７１，７２の間に中心を一致させて筒部７０を挟持させたようなリール状の構成になっており、筒部７０には二つ折りにされたコード刃７４が巻回されている。また、上下の円盤７１，７２の何れかには、筒部７０から外方へ延設されたコード刃７４を係止する係止部（図示せず）が設けられている。そして、上側の円盤７１の上面に、上述した線状刃回転ユニット５と同様に規制部７５が突設されている。
【００４４】
上述したような図１０及び図１１に示す線状刃回転ユニット５１，５２を採用した場合も、その刈払機１は、既に述べた線状刃回転ユニット５を採用した場合と同様の作用効果を奏することができる。
【００４５】
また、本実施の形態に係る刈払機１は、図５に示した板状回転刃４のようなチップソーに限られず、他の構成を有する板状回転刃を採用することができる。図１２は刈払機１に採用することができる他の板状回転刃の構成を示す平面図であり、（ａ）は２枚刃タイプの切り込み刃８１、（ｂ）は４枚刃タイプの切り込み刃８２、（ｃ）は丸ノコ刃８３を夫々示している。これらの各タイプの刃８１〜８３は、一般に広く流通しているものである。そして、２枚刃タイプの切り込み刃８１については２つの対向する被規制孔８５が形成され、４枚刃タイプの切り込み刃８２及び丸ノコ刃８３については、図５に示した板状回転刃４と同様に４つの被規制孔８５が形成されている。そして、このような構成の切り込み刃８１，８２及び丸ノコ刃８３を採用した場合も、その刈払機１は、既に述べた板状回転刃４を採用した場合と同様の作用効果を奏することができる。
【産業上の利用可能性】
【００４６】
本発明は、柔らかい草類や小径木などを同時に切断することができると共に、草類などを根本から切断するのに適した刈払機、並びにこの刈払機に用いる線状刃回転ユニット及び板状回転刃に適用することができる。
【図面の簡単な説明】
【００４７】
【図１】図１は、本実施の形態に係る可搬型の刈払機の組み立て図であり、刃周りを中心に一部を断面で示している。
【図２】図２は、図１に示した線状刃回転ユニットを拡大して詳細構成を示す図面であり、その回転軸芯を含む平面で切断したときの断面を示している。
【図３】図３は、図２に示す線状刃回転ユニットの分解斜視図である。
【図４】図４は、線状刃回転ユニットの平面図である。
【図５】図５は、板状回転体の平面図である。
【図６】図６は、操作桿、板状回転刃、及び線状刃回転ユニットの接続手順を説明するための組み立て図であり、線状刃回転ユニットは断面により示してある。
【図７】図７は、操作桿、板状回転刃、及び線状刃回転ユニットの接続形態を示す側面図である。
【図８】図８は、板状回転刃と線状刃回転ユニットとの接続形態を示す平面図であり、操作桿は省略し、板状回転刃を二点差線により示している。
【図９】線状刃回転ユニットに設けられる規制部の他の構成を示す側面断面図である。
【図１０】図１０は、刈払機に採用することができる遠心力式の線状刃回転ユニットの構成を示す図面であり、（ａ）はその平面図、（ｂ）はその側面図である。
【図１１】図１１は、刈払機に採用することができる簡易式の線状刃回転ユニットの構成を示す図面であり、（ａ）はその平面図、（ｂ）はその側面図である。
【図１２】図１２は、刈払機に採用することができる他の板状回転刃の構成を示す平面図であり、（ａ）は２枚刃タイプの切り込み刃、（ｂ）は４枚刃タイプの切り込み刃、（ｃ）は丸ノコ刃を夫々示している。
【図１３】図１３は、従来の刈払機の構成を示す分解斜視図である。
【符号の説明】
【００４８】
１  刈払機
２  操作桿（本体）
４  板状回転刃
４ａ  刃
５  線状刃回転ユニット
６  駆動軸（回転出力部）
１０  コード刃
１３  ケース
１４  上ケース
１５  下ケース
１６  外筒
１７  内筒
１９  取付座（当接部）
２２  規制部
２６  被規制孔
５１  遠心力式の線状刃回転ユニット
５２  簡易式の線状刃回転ユニット
６５  規制部
７５  規制部
８１  ２枚刃の切り込み刃
８２  ４枚刃の切り込み刃
８３  丸ノコ刃
８５  被規制孔
【図１】
2007274937.tif 000003
【図２】
2007274937.tif 000004
【図３】
2007274937.tif 000005
【図４】
2007274937.tif 000006
【図５】
2007274937.tif 000007
【図６】
2007274937.tif 000008
【図７】
2007274937.tif 000009
【図８】
2007274937.tif 000010
【図９】
2007274937.tif 000011
【図１０】
2007274937.tif 000012
【図１１】
2007274937.tif 000013
【図１２】
2007274937.tif 000014
【図１３】
2007274937.tif 000015